【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
物品の少なくとも使用中、中心軸線を形成する環状アレイを形成する複数の連結部材を含む、宝飾品物品のための可撓性連結具であって、
第１円筒軸線を形成する少なくとも一つの環状の宝飾品要素と、第２円筒軸線を形成する隣接して当接する環状の宝飾品セグメントと、を含み、セグメント及び要素の各々は、対応する第１軸線及び第２軸線の周りにそれぞれほぼ同じ程度に延びる外周の湾曲した壁を有し、少なくともセグメントは、中空内部領域を有し、セグメントの外周壁は、内部領域に連通した孔が通過する側壁を形成し、
要素及びセグメントは、連結部材の環状アレイの一部分を形成し、要素及びセグメントのそれぞれの第１軸線及び第２軸線の各々は、前記中心軸線から出る半径を構成し、
要素に固定されてそこから外向きに延び、前記孔を通過して前記セグメントの前記中空内部領域内に入る第１の細長い部材と、
セグメント及び要素を互いから離れるように弾力的に移動させながら、該セグメントを該要素に向けて互いに当接する関係で弾力的に押すための、セグメントの中空領域内で細長い部材に固定されたバネと、を更に含む、
ことを特徴とする可撓性連結具。
【請求項２】
前記セグメントは、宝石を受け取るように配置されていることを特徴とする請求項１に記載の連結具。
【請求項３】
前記セグメントは、そこに装飾的印しを受け入れるように配置されていることを特徴とする請求項１に記載の連結具。
【請求項４】
前記セグメントは、前記中空領域内に前記孔が通過する拡大された突起を有することを特徴とする請求項１に記載の連結具。
【請求項５】
前記細長い部材は、前記セグメント及び前記要素の互いに対する横方向の揺れを実質的に排除するために前記孔内に密接に受け取られることを特徴とする請求項１に記載の連結具。
【請求項６】
前記細長い部材は、前記孔における第３軸線を形成し、前記セグメントの前記中空領域は、２つの反対方向の少なくとも一方において該第３軸線に対して横方向に且つ第２軸線に沿って、雰囲気に対して開放されていることを特徴とする請求項１に記載の連結具。
【請求項７】
前記要素及びセグメントの各々は、宝石受け台として形成され、前記要素は中空内部を有し、前記要素及びセグメントの中空内部の各々は、宝石の少なくとも一部分を受け入れることを特徴とする請求項１に記載の連結具。
【請求項８】
前記セグメント及び要素は、平面内にある円形軸線上の複数の当接したセグメントの環状アレイとして配置され、前記複数のセグメントの各々は、内部領域を有し、各セグメントは、第２軸線を形成し、前記細長い部材は、前記平面に対して横方向に前記円形軸線からオフセットされていることをと特徴とする請求項１に記載の連結具。
【請求項９】
前記第１の細長い部材とは反対の面側に前記軸線からオフセットされた第２の細長い部材を含むことを特徴とする請求項８に記載の連結具。
【請求項１０】
前記第１及び第２の細長い部材の各々は、対応する第１及び第２の間隔を隔てた平行平面内にあり該平面を形成し、前記第１の部材は、環状アレイの周りに延びる方向に一つおきの要素に配置され、前記第２の部材は、環状アレイの周りに延びる方向に、前記要素と互い違いになるセグメントに配置されることを特徴とする請求項９に記載の連結具。
【請求項１１】
宝飾品物品は、指輪であり、セグメント及び要素は、複数の連結部材を形成する平面内にある連続的な隣接するセグメント及び要素の円形アレイとして配置され、複数のセグメント及び要素は、各々中空内部を有し、各セグメント及び要素は、第２軸線を形成し、小面のある宝石が、各セグメント及び要素に第２軸線上に取り付けられ、且つ宝石の一様な円形アレイを形成するように、中心軸線から半径方向に遠ざかる方向に対向することを特徴とする請求項１に記載の連結具。
【請求項１２】
前記物品は、指輪であり、少なくとも一つの要素及び少なくとも一つのセグメントは、環状アレイに配置された円筒のような形状の複数の連続的な当接した要素及びセグメントを含み、セグメント及び要素の少なくとも一つは、中心軸線から半径方向に遠ざかる方向に向いた宝石を含むことを特徴とする請求項１に記載の連結具。
【請求項１３】
前記要素及びセグメントは、同一であることを特徴とする請求項１に記載の連結具。
【請求項１４】
各々中空内部を有する複数の前記要素及び複数の前記セグメントを含み、全てのセグメント及び要素は、次に隣接する要素又はセグメントに当接した関係で連続し、要素は、それぞれ第１軸線及び第２軸線を横切る第１及び第２対向面を有し、第１面は、中心軸線から半径方向外方に遠ざかる方向に向き、第２面は、中心軸線に向かって半径方向内方に向き、第１面は、要素上の第１壁によって囲まれ、少なくとも一つのセグメントの第１面は宝石を受け入れ、要素及びセグメントの第２面は、全て開放されていることを特徴とする請求項１に記載の連結具。
【請求項１５】
複数の前記セグメント及び平面内で整列した複数の前記第１の細長い部材を含むことを特徴とする請求項１に記載の連結具。
【請求項１６】
前記セグメントの各々は、前記中空内部領域を有するほぼ環状形であることを特徴とする請求項１に記載の連結具。
【請求項１７】
複数の同一セグメントを更に含むことを特徴とする請求項１に記載の連結具。
【請求項１８】
少なくとも１つの細長い更に別のセグメントを含み、
前記中空領域は、前記少なくとも１つの更に別のセグメントの端部において該更に別のセグメントの比較的小さな部分に位置している、
ことを特徴とする請求項１に記載の連結具。
【請求項１９】
前記要素及び前記セグメントの互いに対する横方向の揺れを最小にする構成を含むことを特徴とする請求項１に記載の連結具。
【請求項２０】
前記バネは、該バネを前記細長い部材に捕捉するために前記ピンの孔に挿入された端部部分を有することを特徴とする請求項１に記載の連結具。
【請求項２１】
前記細長い部材は、前記要素に固定されたピンであり、前記セグメントに対して移動可能であることを特徴とする請求項１に記載の連結具。
【請求項２２】
前記セグメント及び前記要素の各々は、孔及び中空領域を有し、次の隣接するセグメント及び要素の該孔は、互いに整列して互いに隣接しており、前記第１の細長い部材は、該整列した隣接する孔を通過して該中空領域内に入ることを特徴とする請求項１に記載の連結具。
【請求項２３】
前記物品は、指輪、ブレスレット、アンクレット、ネックレス、及びブローチのうちのいずれか１つであることを特徴とする請求項１に記載の連結具。
【請求項２４】
前記要素はセグメントであり、該連結具は、互いに前記当接した関係の前記セグメントの環状アレイと、前記セグメントの少なくとも一つに固定され、中心軸線から遠ざかる方向に向いた宝石と、を更に含むことを特徴とする請求項１に記載の連結具。
【請求項２５】
連続的に接触する関係で環状の湾曲した外周壁を各々有するセグメントのアレイを含み、複数のセグメントは、反対側に孔を有する外周壁によって形成される中空コアを有し、
各セグメントの前記中空コア内に延びてコア内のピン端部で終端する、２つの隣接する当接したセグメントの各々の孔の中にあるピンと、
２つの隣接するセグメントのうち第１のものの少なくともコア内における前記ピン上にあり、前記反対側の孔の直径よりも大きい外径を有するコイル圧縮バネと、
第１のピン端部において前記バネをピンに、かくして前記第１のセグメントコアに補足するための第１の構成と、第２のピン端部において前記ピンを２つの隣接するセグメントの他方に固定するための第２の構成と、を更に含み、バネは、２つの当接した隣接するセグメントを互いに向かって及び互いに対して押すことを特徴とする宝飾品物品。
【請求項２６】
前記セグメントは、平面を形成し、前記反対側上の前記孔は、該平面に対して横方向に互いに対してオフセットされていることを特徴とする請求項２５に記載の物品。
【請求項２７】
前記２つの隣接するセグメントの各々の前記内部領域における前記ピン上のバネを含むことを特徴とする請求項２５に記載の物品。
【請求項２８】
同じか又は異なる長さの前記セグメントが該長さを有する方向に延びていることを特徴とする請求項２５に記載の物品。
【請求項２９】
前記ピンは、弓形の屈曲部を有することを特徴とする請求項２５に記載の物品。
【請求項３０】
前記ピンは、長さとその長さに沿う一様な断面とを有することを特徴とする請求項２５に記載の物品。
【請求項３１】
前記ピン及び孔は、前記セグメントの互いに対する横方向の揺れを最小にするように配置されていることを特徴とする請求項２５に記載の物品。
【請求項３２】
前記セグメントは、指輪を形成する環状アレイを形成し、各セグメントは、対応するセグメントから半径方向外方に遠ざかる方向に向いた小面のあるダイヤモンドを有することを特徴とする請求項２５に記載の物品。
【請求項３３】
前記セグメントは、実質的に同一であることを特徴とする請求項２５に記載の物品。
【請求項３４】
ネックレス、ブレスレット、アンクレット、指輪、及びブローチのうちのいずれか１つであることを特徴とする請求項２５に記載の物品。
【請求項３５】
請求項２５ないし請求項３４のいずれか１項に記載の宝飾品物品を製造する方法であって、
ウェブ領域で互いに当接して単体の剛性一体ユニットを形成する複数の隣接するセグメントを形成する段階と、
前記セグメントを分離する段階と、
次に前記別々のセグメントを互いに隣接して弾力的に取付けて、それらを宝飾品物品に形成する段階と、
を含むことを特徴とする方法。
【請求項３６】
前記隣接するセグメントを形成する段階は、前記複数のセグメントを鋳造する段階を含むことを特徴とする請求項３５に記載の方法。
【請求項３７】
前記鋳造する段階は、宝飾品金属組成物の前記単体一体ユニットを鋳造する段階を含むことを特徴とする請求項３５に記載の方法。
【請求項３８】
前記セグメントのうちの少なくとも１つと共に複数のロッドを形成して、該少なくとも１つのセグメントと共に宝石台を形成する段階を含むことを特徴とする請求項３５に記載の方法。
【請求項３９】
前記セグメントのうちの少なくとも１つは、中空内部領域を有することを特徴とする請求項３５に記載の方法。
【請求項４０】
前記セグメントの大多数は、中空内部領域を有することを特徴とする請求項３５に記載の方法。
【請求項４１】
前記セグメントは、同一であり、各々が中空内部領域を有することを特徴とする請求項３５に記載の方法。
【請求項４２】
請求項１ないし請求項２４のいずれか１項に記載の可撓性連結具を有する宝飾品物品を製造する方法であって、
ＣＡＤ／ＣＡＭ金型形成工程を使用して、セグメントの少なくとも１つが一体的なモノリシック宝石台ロッドを備えた成形単体中空内部領域部材である複数のセグメントを形成する段階と、
各セグメントが更に別のセグメントに隣接して宝飾品物品を形成するように前記複数のセグメントを互いに弾力的に固定する段階と、
を含むことを特徴とする方法。
【請求項４３】
前記ＣＡＤ／ＣＡＭ型形成工程は、ＣＡＤ／ＣＡＭ機械加工されたポジティブ型からネガティブ型を準備する段階と、該ネガティブ型にワックスを充填する段階と、該ワックスを除去する段階と、該ネガティブ型のポジティブワックス複製品を成形する段階と、該ポジティブワックス複製品を用いて完成型を形成し、次に該完成型から貴金属指輪セグメントアセンブリを形成する段階とを含み、
前記セグメントアセンブリは、単体成形のモノリシックに取付けられた宝石台ロッドを備えたセグメントを含む、
ことを特徴とする請求項４２に記載の方法。